(57)【要約】【課題】メニュー画面が表示された状態から、コンテンツを容易にかつ確実にレジューム再生する。【解決手段】本発明は、光ディスク１やハードディスクに記録されたコンテンツを再生し、ディスプレイ装置２０から表示させる情報再生装置であって、コンテンツの再生中にメニューキーが押下されると、コンテンツの再生を停止し、該コンテンツに代えてメニュー画面をディスプレイ装置２０から表示させるメニュー画面表示処理部２２１を備えている。更に、ディスプレイ装置２０からメニュー画面が表示された状態でレジュームキーが押下されると、再生を停止されたコンテンツのレジューム再生を実行させ、メニュー画面に代えて、レジューム再生されたコンテンツをディスプレイ装置２０から表示させるレジューム再生処理部２２２を備えている。【選択図】図１
2007179592.tif 000002
【特許請求の範囲】
【請求項１】
記録媒体に記録された情報を再生し、表示手段から表示させる情報再生装置において、
前記情報の再生中にメニューキーが押下されると、前記情報の再生を停止し、前記情報に代えてメニュー画面を前記表示手段から表示させるメニュー画面表示処理手段と、
前記表示手段からメニュー画面が表示された状態でレジュームキーが押下されると、前記再生を停止された情報のレジューム再生を実行させ、前記メニュー画面に代えて、前記レジューム再生された情報を前記表示手段から表示させるレジューム再生処理手段と
を備えた情報再生装置。
【請求項２】
請求項１に記載の情報再生装置において更に記憶手段を備え、
前記メニュー画面表示処理手段は、前記情報の再生中にメニューキーが押下されると、前記情報を識別する識別情報、及び前記情報の再生が停止された位置を示す停止位置情報を含むレジューム情報を作成し、作成したレジューム情報を前記記憶手段に格納し、
前記レジューム再生処理手段は、前記表示手段からメニュー画面が表示された状態でレジュームキーが押下されると、前記記憶手段から前記レジューム情報を取得し、このレジューム情報に含まれる識別情報に対応する情報を、このレジューム情報に含まれる停止位置情報に対応する位置からレジューム再生させる情報再生装置。
【請求項３】
情報再生装置本体を遠隔制御するリモートコントローラ装置に前記レジュームキーを配置した請求項１又は請求項２に記載の情報再生装置。
【発明の詳細な説明】
【技術分野】
【０００１】
本発明は、例えば、ＤＶＤ等の光ディスクや、ハードディスク等の記録媒体に記録された情報を再生する情報再生装置に関する。
【背景技術】
【０００２】
近年、ＤＶＤ等の光ディスクや、ハードディスク等の記録媒体に記録された情報（以下、「コンテンツ」もと称する）を再生する情報再生装置が普及してきている。
【０００３】
記録媒体にコンテンツが記録される場合には、ＭＰＥＧ２などによる画像データ圧縮技術やオーディオデータ圧縮技術の採用により、様々な種類のデータが混在して格納されている。また、各種の機能を実現するため、ナビゲーションパック情報等の制御データが格納されている。
【０００４】
例えば、ＤＶＤに映画やドラマなどのコンテンツを記録する場合、通常はビデオデータとオーディオデータとが記録されるが、それ以外に、複数の言語の字幕データを記録しておくことにより、ユーザが選択した言語の字幕を表示することも可能となる。また、オーディオデータとして、複数の言語の吹き替えデータを記録しておくことにより、ユーザが選択した言語による吹き替え音声を出力することも可能となる。更には、監督や出演者のプロフィール等を紹介するための静止画データを記録させておくことにより、ユーザの操作によって、それら静止画データを表示することが可能となる。
【０００５】
このような様々な機能に対するユーザからの要求を受け付けるために、この種の情報再生装置にはメニュー画面表示機能が備えられている。このメニュー画面表示機能には、ユーザによって選択される操作ボタンをメニュー画面に表示する機能と、選択された操作ボタンの色を替えることによって、ユーザに対して、所望の操作ボタンが確実に選択されたことを示すハイライト機能等がある。また、メニューに関しては、タイトルメニュー、ルートメニュー、オーディオメニュー、副映像メニュー、アングルメニュー、チャプターメニュー等がある。
【０００６】
メニュー画面をディスプレイから表示するには、リモートコントローラあるいは本体の操作部に設けられているメニューキーを押下する。メニューキーの押下はコンテンツの再生中に行っても良い。コンテンツの再生中にメニューキーが押下されると、再生が停止し、その時点のレジューム情報がメモリに格納されるとともに、メニュー画面がディスプレイから表示される。
【０００７】
またこの種の情報再生装置には、このようにコンテンツの再生を停止させてメニュー画面をディスプレイから表示させた場合、再びメニューキーを押下することによって、メモリに格納されたレジューム情報が参照され、停止位置から引き続きコンテンツの再生が再開されるレジューム機能が設けられている。
【０００８】
しかしながら、このように再度のメニューキーの押下によって、レジューム機能が実現されることは、ユーザにはあまり知られていない。
【０００９】
そこで、このようなレジューム機能をユーザに確実に知らせる技術として、特許文献１による技術が開示されている。特許文献１では、メニュー画面が表示された状態でユーザがメニューキーを押下すると、「メニューキーを押下すると、続きから再生します」旨のメッセージが表示される。そして、ユーザが、このメッセージにしたがってメニューキーを再び押下することにより、レジューム再生が実現されるというものである。
【特許文献１】特開２００５−２０３０６０号公報
【発明の開示】
【発明が解決しようとする課題】
【００１０】
以上説明したように、従来技術の情報再生装置では、コンテンツの再生を停止させてメニュー画面をディスプレイから表示させた場合、再びメニューキーを押下することによって、レジューム再生が実現される機能が設けられている。しかしながらこのような操作は、ユーザに対して分かりやすいものであるとは言えない。また、コンテンツによっては、このようにメニューキーを押下しても、レジューム再生を行うことができないものもあり、コンテンツに依存する機能である。したがって、あるコンテンツに対しては機能するが、あるコンテンツに対しては機能しない場合もあり、このようなユーザインタフェースとしての統一感のなさが、ユーザにとって益々馴染みにくい機能となっていることも考えられる。
【００１１】
また、特許文献１による技術をもってしても、「メニューキーを押下すると、続きから再生します」旨のメッセージを表示するためには、何れにせよメニューキーを押下しなければならない。したがって、ユーザがメニューキーを押下しない限りは、メッセージは表示されず、抜本的な解決策にはならない。
【００１２】
本発明はこのような事情に鑑みてなされたものであり、レジューム操作を受け付ける専用ボタンであるレジュームキーを備えることによって、メニュー画面が表示された状態から、コンテンツを容易にかつ確実にレジューム再生することを可能にした情報再生装置を提供することを目的とする。
【課題を解決するための手段】
【００１３】
上記の目的を達成するために、本発明では、以下のような手段を講じる。
【００１４】
すなわち、請求項１の発明は、記録媒体に記録された情報を再生し、表示手段から表示させる情報再生装置において、メニュー画面表示処理手段と、レジューム再生処理手段とが備えられている。メニュー画面表示処理手段は、情報の再生中にメニューキーが押下されると、情報の再生を停止し、情報に代えてメニュー画面を前記表示手段から表示させる。レジューム再生処理手段は、表示手段からメニュー画面が表示された状態でレジュームキーが押下されると、再生を停止された情報のレジューム再生を実行させ、メニュー画面に代えて、レジューム再生された情報を表示手段から表示させる。
【００１５】
また、請求項２の発明は、請求項１に記載の情報再生装置において更に記憶手段を備えている。そして、メニュー画面表示処理手段は、情報の再生中にメニューキーが押下されると、この情報を識別する識別情報、及びこの情報の再生が停止された位置を示す停止位置情報を含むレジューム情報を作成し、作成したレジューム情報を記憶手段に格納する。一方、レジューム再生処理手段は、表示手段からメニュー画面が表示された状態でレジュームキーが押下されると、記憶手段からレジューム情報を取得し、このレジューム情報に含まれる識別情報に対応する情報を、このレジューム情報に含まれる停止位置情報に対応する位置からレジューム再生させる。
【００１６】
従って、請求項１及び請求項２の発明の情報再生装置においては、以上のような手段を講じることにより、ユーザは、レジュームキーを押下することによって、レジューム再生を容易、かつ確実に行うことができる。その結果、ユーザの使い勝手の向上を図ることが可能となる。
【００１７】
また、請求項３に記載の情報再生装置では、請求項１又は請求項２に記載の情報再生装置において、情報再生装置本体を遠隔制御するリモートコントローラ装置に、レジュームキーが配置される。
【００１８】
従って、請求項３の発明の情報再生装置においては、以上のような手段を講じることにより、ユーザは、リモートコントローラからレジュームキーを押下することができるので、ユーザの使い勝手の更なる向上を図ることができる。
【発明の効果】
【００１９】
本発明の情報再生装置によれば、レジューム操作を受け付ける専用ボタンであるレジュームキーを備えているので、ユーザは、このレジュームキーを押下することにより、メニュー画面が表示された状態から、コンテンツを容易にかつ確実にレジューム再生することが可能となる。
【発明を実施するための最良の形態】
【００２０】
以下に、本発明を実施するための最良の形態について図面を参照しながら説明する。
【００２１】
図１は、本発明の実施の形態に係る情報再生装置の構成例を示す機能ブロック図である。
【００２２】
すなわち、同実施の形態に係る情報再生装置は、例えばＤＶＤ等の光ディスクや、ハードディスク等の記録媒体に記録されたコンテンツを再生し、ディスプレイ装置２０から表示させる装置であり、光ディスク１を回転させるスピンドルモータ５と、光ディスク１に記録されたコンテンツを再生するためのレーザ光を出射すると共に光ディスク１からの反射光を受光する光ピックアップ２と、この光ピックアップ２を光ディスク１の半径方向に移動させるためのスレッド３と、後述するシステムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２３】
なお、同実施の形態に係る情報再生装置は、記録媒体として光ディスク１のみならず、ハードディスクに記録されたコンテンツも再生する。したがって、図示していないが、ハードディスクを備えているとともに、ハードディスクに記録されたコンテンツを読み取るためのメカニズムとして、光ディスク１に記録されたコンテンツを読み取るためのメカニズムと同様に、ハードディスクを回転させるためのモータ、光ピックアップ２に相当する読取ヘッド、この読取ヘッドをハードディスクの半径方向に移動させるためのスレッド、システムコントローラ２２の指示に応じて前記モータおよびスレッドを駆動すると共に読取ヘッドの位置をハードディスクの記録面に対して垂直方向および水平方向に移動させる制御を行うサーボ制御部を備えている。
【００２４】
また、情報再生装置は、光ディスク１に記録されたコンテンツの再生時には、光ピックアップ２から、ハードディスクに記録されたコンテンツの再生時には、図示しない読取ヘッドからそれぞれ出力される読取信号であるＲＦ信号を増幅するＲＦアンプ６と、このＲＦアンプ６から出力されたＲＦ信号をデジタルデータに変換した後に、光ディスク１やハードディスクのデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２５】
また、情報再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納するＲＡＭ１４とを備えている。
【００２６】
更に、情報再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して例えばスピーカ１９に供給するＤ／Ａ変換器１６とを備えている。
【００２７】
更に、情報再生装置は、システムコントローラ２２に対して、再生指示を与えるための再生キー、再生停止を指示するための停止キー、メニュー画面表示を指示するためのメニューキー、メニュー画面が表示された状態から、メニュー画面の表示により再生が停止された箇所からのコンテンツのレジューム再生を指示するためのレジュームキーなどの各種操作キーを有する操作部２１と、情報再生装置全体を制御するシステムコントローラ２２とを備えている。なお、操作部２１は、リモートコントローラであっても良いし、情報再生装置本体の操作パネルに設けられていても良い。
【００２８】
更にまた、情報再生装置は、装置の各構成要素を制御したり、装置全体を制御するためのプログラムやデータが記憶されたフラッシュＲＯＭ２３と、このフラッシュＲＯＭ２３のプログラムやデータに従って演算処理を行いシステムコントローラ２２を制御するＣＰＵ２４と、データを一時的に格納するＲＡＭ２５とを備えている。
【００２９】
システムコントローラ２２は、本発明の実施の形態を特徴付ける構成要素として、メニュー画面表示処理部２２１と、レジューム再生処理部２２２と、レジューム情報記憶部２２３とを備えている。
【００３０】
メニュー画面表示処理部２２１は、コンテンツの再生中、すなわちコンテンツの映像がディスプレイ装置２０から表示されているか、及び／又はコンテンツの音声がスピーカ１９から出力されている状態でメニューキーが押下されると、該コンテンツの再生を停止し、該コンテンツに代えてメニュー画面をディスプレイ装置２０から表示させるための処理を行うとともに、該コンテンツを識別するコンテンツ識別情報、及びメニューキーが押下されることによって該コンテンツの再生が停止された位置を示す停止位置情報を含むレジューム情報を作成し、作成したレジューム情報をレジューム情報記憶部２２３に格納する。
【００３１】
レジューム再生処理部２２２は、ディスプレイ装置２０からメニュー画面が表示された状態でレジュームキーが押下されると、レジューム情報記憶部２２３からレジューム情報を取得する。そして、このレジューム情報に含まれるコンテンツ識別情報、及び停止位置情報に従って、メニュー画面を表示することに代って再生を停止されたコンテンツのレジューム再生を実行させ、メニュー画面に代えて、レジューム再生されたコンテンツの映像をディスプレイ装置２０から表示させる、及び／又はレジューム再生されたコンテンツの音声をスピーカ１９から出力させる処理を行う。
【００３２】
次に、以上のように構成した同実施の形態に係る情報再生装置のレジュームキーに関連する処理の一例について図２に示すフローチャートを用いて説明する。なお、図２を用いて行う以下の説明は、光ディスク１に記録されたコンテンツを再生する場合を例に行うが、ハードディスクに記録されたコンテンツを再生する場合についても同様に適用可能であることが、当業者に理解されよう。
【００３３】
まず、ユーザが、情報再生装置に光ディスク１を挿入し、操作部２１の再生キーを押下すると、光ディスク１に記録されたコンテンツの再生が開始され、ディスプレイ装置２０から映像が、スピーカ１９から音声がそれぞれ出力される（ステップＳ１）。
【００３４】
そして、コンテンツの再生中に、ユーザが、操作部２１のメニューキーを押下する（ステップＳ２：Ｙｅｓ）と、メニュー画面表示処理部２２１によって、該コンテンツを識別するコンテンツ識別情報、及び該コンテンツの再生が停止された位置を示す停止位置情報を含むレジューム情報が作成され、レジューム情報記憶部２２３に格納される（ステップＳ３）。一方、コンテンツの再生中に、メニューキーが押下されなければ（ステップＳ２：Ｎｏ）、ステップＳ１の再生状態が維持される。
【００３５】
ステップＳ３の処理の後は、メニュー画面表示処理部２２１によって、該コンテンツの再生が停止され、該コンテンツに代わってメニュー画面がディスプレイ装置２０から表示される（ステップＳ４）。
【００３６】
そして、ディスプレイ装置２０からメニュー画面が表示された状態で、ユーザが、操作部２１のレジュームキーを押下する（ステップＳ５：Ｙｅｓ）と、レジューム再生処理部２２２によって、レジューム情報記憶部２２３から、レジューム情報が取得される（ステップＳ６）。一方、メニュー画面が表示された状態のまま、レジュームキーが押下されなければ（ステップＳ５：Ｎｏ）、ステップＳ４のメニュー画面の表示状態が維持される。
【００３７】
ステップＳ６の処理の後は、更にレジューム再生処理部２２２によって、レジューム情報に含まれるコンテンツ識別情報に対応するコンテンツ、すなわち、メニュー画面の表示時に再生が停止されたコンテンツを、レジューム情報に含まれる停止位置情報に対応する位置からレジューム再生するための処理が実行される（ステップＳ７）。そして、この処理の結果として、メニュー画面に代わって、レジューム再生されたコンテンツの映像及び音声がディスプレイ装置２０及びスピーカ１９から表示される（ステップＳ８）。その後の処理は、ステップＳ１に続く。
【００３８】
上述したように、同実施の形態に係る情報再生装置には、メニュー画面が表示された状態から、メニュー画面が表示されるまで再生されていたコンテンツをレジューム再生するための処理を実行させるレジュームキーが備えられている。このレジュームキーは、本体及びリモートコントローラのうちの少なくとも何れかに設けることができる。
【００３９】
レジュームキーは、メニュー画面が表示された状態から、メニュー画面が表示されるまで再生されていたコンテンツをレジューム再生するための専用キーであることから、ユーザは、メニュー画面が表示された状態から、メニュー画面が表示されるまで再生されていたコンテンツをレジューム再生したい場合には、操作に戸惑うことなく、このレジュームキーを押下すれば良いことを容易に認識するであろう。これにより、ユーザは、レジューム再生を容易な操作で、かつ確実に実施することができるようになり、ユーザの使い勝手の向上に大いに資することが可能となる。
【００４０】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００４１】
【図１】本発明の実施の形態に係る情報再生装置の構成例を示す機能ブロック図。
【図２】同実施の形態に係る情報再生装置のレジュームキーに関連する処理の一例を示すフローチャート。
【符号の説明】
【００４２】
１…光ディスク、２…光ピックアップ、３…スレッド、４…サーボ制御部、５…スピンドルモータ、６…ＲＦアンプ、７…ＲＡＭ、８…デジタル信号処理部、９…ストリーム分離部、１０…ＲＡＭ、１１…オーディオデコーダ、１２…ＲＡＭ、１３…サブピクチャデコーダ、１４…ＲＡＭ、１５…ビデオデコーダ、１６…Ｄ／Ａ変換器、１７…ビデオプロセッサ、１８…ビデオエンコーダ、１９…スピーカ、２０…ディスプレイ装置、２１…操作部、２２…システムコントローラ、２３…フラッシュＲＯＭ、２４…ＣＰＵ、２５…ＲＡＭ、２２１…メニュー画面表示処理部、２２２…レジューム再生処理部、２２３…レジューム情報記憶部
【図１】
2007179592.tif 000003
【図２】
2007179592.tif 000004